(57)【特許請求の範囲】
【請求項１】
複数の発変電所を介して送電線をループ状に構成して電力を供給するようにしているループ系統の母線電圧を適正範囲に維持する電圧無効電力制御システムであって、
前記発変電所毎の母線電圧を計測する母線電圧計測手段と、
前記発変電所毎の無効電力及びその方向を計測する無効電力計測手段と、
前記発変電所毎に設けられる調相設備の状態を検出する調相設備状態検出手段と、
前記母線電圧が目標設定電圧範囲を超えた場合に、ループ系統の各発変電所の調相設備を別々に投入または開放した場合の無効電力量を演算する無効電力量演算手段と、
この無効電力量演算手段で演算された無効電力量に基づき、送電ロスの低減の有無をシミュレーションする送電ロスシミュレーション手段と、
前記各発変電所の調相設備を投入または開放した場合に前記母線電圧が目標設定電圧範囲に収まるか否かをシミュレーションする電圧シミュレーション手段と、
前記送電ロスシミュレーション手段により送電ロスの低減が図れると判定され、且つ、前記電圧シミュレーション手段により前記母線電圧が目標設定電圧範囲内に収まると判定されたシミュレーションがある場合に、そのシミュレーションを行った設定状態となるよう前記調相設備を制御する制御手段と
を具備することを特徴とする電圧無効電力制御システム。
【請求項２】
前記発変電所毎に設けられる変圧器のタップ状態を検出するタップ状態検出手段を備え、
前記無効電力量演算手段は、前記母線電圧が目標設定電圧範囲を超えた場合に、ループ系統の各発変電所の変圧器タップを別々に変更した場合の無効電力量を演算する手段を含み、
前記送電ロスシミュレーション手段は、前記無効電力量演算手段で演算された変圧器タップを変更した場合の無効電力量に基づき、送電ロスの低減の有無をシミュレーションする手段を含み、
前記電圧シミュレーション手段は、前記変圧器タップを変更した場合に前記母線電圧が目標設定電圧範囲内に収まるか否かを判定する手段を含み、
前記制御手段は、前記送電ロスシミュレーション手段によりタップ変更後に送電ロスの低減が図れると判定され、且つ、前記電圧シミュレーション手段によりタップ変更後に母線電圧が目標設定電圧範囲内に収まると判定されたシミュレーションがある場合に、そのシミュレーションを行った設定状態となるように前記変圧器タップを切り替える制御を含むことを特徴とする請求項１記載の電圧無効電力制御システム。
【請求項３】
前記送電ロスシミュレーション手段により、送電ロスの低減が図れるシミュレーションが複数ある場合に、送電ロスの低減効果が最も高いシミュレーションの設定状態となるよう制御手段による制御が行われることを特徴とする請求項１又は２に記載の電圧無効電力制御システム。
【請求項４】
前記送電ロスシミュレーション手段によるシミュレーションの結果、送電ロスの低減が図れると判定され、且つ、前記電圧シミュレーション手段によるシミュレーションの結果、前記母線電圧が目標設定電圧範囲内に収まると判定されたシミュレーションがない場合に、ループ系統の各発変電所の変圧器の一次側タップを同時に下げ又は上げの制御を行った場合に母線電圧が目標設定電圧範囲内に収まるか否かをシミュレーションする第２の電圧シミュレーション手段と、
この第２の電圧シミュレーション手段のシミュレーションにより、母線電圧が目標設定電圧範囲内に収まると判定された場合に、そのシミュレーションを行った設定状態となるように前記ループ系統の各発変電所の変圧器の一次側タップを切り替える第２の制御手段と
をさらに具備することを特徴とする請求項１乃至３のいずれかに記載の電圧無効電力制御システム。
【請求項５】
前記第２の電圧シミュレーション手段によるシミュレーションの結果、母線電圧が目標設定電圧範囲内に収まらないと判定された場合に、オペレータに通知する通知手段を具備することを特徴とする請求項４記載の電圧無効電力制御システム。
【発明の詳細な説明】
【技術分野】
【０００１】
本発明は、ループ系統の母線電圧を適正な状態に維持するために、各発変電所に設置された調相設備の入り切り制御および変圧器のタップ制御により、電圧・無効電力を調整するための電圧無効電力調整システムに関する。
【背景技術】
【０００２】
電力系統の電圧を調整する設備として、発変電所には、通常、二次側電圧の調整を可能とする負荷時タップ切替付き変圧器や無効電力の供給・吸収を行うコンデンサやリアクトルなどの無効電力調整装置（調相設備）が設置されている。
しかしながら、電源の遠隔化により、大地との間の静電容量が大きくなり、発電機による無効電力の調整幅が低下していること、電力系統に接続されている需要家（負荷）が大容量化すると共にこれに比例して無効電力の必要量も増加していること、需要家（負荷）が電力系統内で集中・分散していること、等から電圧の維持に支障をきたすようになってきており、また，無効電力による送電ロスも増大してきている。
【０００３】
この点を解決する手法として、従来、各発電所や変電所に設置されている自動電圧調整装置や自動電圧無効電力調整装置を協調制御することにより電力系統に電圧不安定性が生じないようにする電圧無効電力制御装置が提案されている。
【先行技術文献】
【特許文献】
【０００４】
【特許文献１】特開平４−２７５０２６号公報
【発明の概要】
【発明が解決しようとする課題】
【０００５】
しかしながら、上述した制御装置にあっては、電力系統内で定められた電圧運用幅（電圧維持目標）で最適な電圧調整制御ができるよう発変電所に設置された自動電圧調整装置等に制御条件を伝送して電圧維持を図るものであるが、電圧運用幅内での電圧調整のみで、送電ロスの低減の観点での制御は行われていない。このため、電圧が所定の運用巾で最適に制御されても、無効電力による送電ロスが増大する不都合が生じ得るものであった。
【０００６】
本発明は、係る事情に鑑みてなされたものであり、特にループ系統において、電力系統内の送電ロスの観点を取り入れた電圧調整を行い、電圧運用範囲内で送電ロスの低減を図りつつ電圧調整を行うことを可能とした電圧無効電力制御システムを提供することを主たる課題としている。
【課題を解決するための手段】
【０００７】
上記課題を達成するために、本発明に係る電圧無効電力制御システムは、複数の発変電所を介して送電線をループ状に構成して電力を供給するようにしているループ系統の母線電圧を適正範囲に維持するための電圧無効電力制御システムであって、前記発変電所毎の母線電圧を計測する母線電圧計測手段と、前記発変電所毎の無効電力及びその方向を計測する無効電力計測手段と、前記発変電所毎に設けられる調相設備の状態を検出する調相設備状態検出手段と、前記母線電圧が目標設定電圧範囲を超えた場合に、ループ系統の各発変電所の調相設備を別々に投入または開放した場合の無効電力量を演算する無効電力量演算手段と、この無効電力量演算手段で演算された無効電力量に基づき、送電ロスの低減の有無をシミュレーションする送電ロスシミュレーション手段と、前記各発変電所の調相設備を投入または開放した場合に前記母線電圧が目標設定電圧範囲に収まるか否かをシミュレーションする電圧シミュレーション手段と、前記電圧シミュレーション手段により前記母線電圧が目標設定電圧範囲内に収まると判定され、且つ、前記送電ロスシミュレーション手段により送電ロスの低減が図れると判定されたシミュレーションがある場合に、そのシミュレーションを行った設定状態となるよう前記調相設備を制御する制御手段とを具備することを特徴としている。
【０００８】
したがって、母線電圧が目標設定電圧範囲を超えた場合には、無効電力量演算手段によりループ系統の各発変電所の調相設備を別々に投入または開放した場合の無効電力量が演算され、送電ロスシミュレーション手段により、この演算された無効電力量に基づき、送電ロスの低減が図れるか否かがシミュレーションされ、また、電圧シミュレーション手段により、各発変電所の調相設備を別々に投入または開放した場合に母線電圧が目標設定電圧範囲に収まるか否かがシミュレーションされ、制御手段により、送電ロスの低減が図れると判定され、且つ、母線電圧が目標設定電圧範囲内に収まると判定された場合に、そのシミュレーションを行った設定状態となるよう調相設備が制御されるので、送電ロスの低減を図りつつ電圧運用範囲に母線電圧を調整することが可能となる。
【０００９】
また、電圧無効電力制御システムは、前記発変電所毎に設けられる変圧器のタップ状態を検出するタップ状態検出手段を備え、前記無効電力量演算手段は、前記母線電圧が目標設定電圧範囲を超えた場合に、ループ系統の各発変電所の変圧器タップを別々に変更した場合の無効電力量を演算する手段を含み、前記送電ロスシミュレーション手段は、前記無効電力量演算手段で演算された変圧器タップを変更した場合の無効電力量に基づき、送電ロスの低減の有無をシミュレーションする手段を含み、前記電圧シミュレーション手段は、前記変圧器タップを変更した場合に前記母線電圧が目標設定電圧内に収まるか否かを判定する手段を含み、前記制御手段は、前記送電ロスシミュレーション手段によりタップ変更後に送電ロスの低減が図れると判定され、且つ、前記電圧シミュレーション手段によりタップ変更後に母線電圧が目標設定電圧範囲内に収まると判定されたシミュレーションがある場合に、そのシミュレーションを行った設定状態となるように前記変圧器タップを切り替える制御を含むようにしてもよい。
【００１０】
このような構成においては、母線電圧が目標設定電圧範囲を超えた場合には、無効電力量演算手段によりループ系統の各発変電所の変圧器タップを別々に変更した場合の無効電力量が演算され、送電ロスシミュレーション手段により、無効電力量演算手段で演算された変圧器タップを変更した場合の無効電力量に基づき、送電ロスの低減が図れるか否かがシミュレーションされ、また、電圧シミュレーション手段により、変圧器タップを変更した場合に母線電圧が目標設定電圧内に収まるか否かがシミュレーションされ、制御手段により、タップ変更後に送電ロスの低減が図れると判定され、且つ、タップ変更後に母線電圧が目標設定電圧範囲内に収まると判定された場合に、そのシミュレーションを行った設定状態となるように変圧器タップが切り替えられるので、変圧器タップの変更により、ループ系統に無効電力を循環させ、これにより、変圧器タップの変更前の無効電力を低減させ、送電ロスの低減を図りつつ母線電圧を電圧運用範囲に調整することが可能となる
【００１１】
ここで、送電ロスシミュレーション手段により、送電ロスの低減が図れるシミュレーションが複数ある場合には、送電ロスの低減効果が最も高いシミュレーションの設定状態となるよう制御手段による制御を行うようにするとよい。
【００１２】
また、上述した制御において、送電ロスシミュレーション手段によるシミュレーションの結果、送電ロスの低減が図れると判定され、且つ、電圧シミュレーション手段によるシミュレーションの結果、母線電圧が目標設定電圧範囲内に収まると判定されたシミュレーションがない場合に、ループ系統の各発変電所の変圧器の一次側タップを同時に下げ又は上げの制御を行った場合に母線電圧が目標設定電圧範囲内に収まるか否かをシミュレーションする第２の電圧シミュレーション手段と、この第２の電圧シミュレーション手段のシミュレーションにより、母線電圧が目標設定電圧範囲内に収まると判定された場合に、そのシミュレーションを行った設定状態となるようにループ系統の各発変電所の変圧器の一次側タップを切り替える第２の制御手段とをさらに具備するようにしてもよい。
【００１３】
このような構成によれば、送電ロスシミュレーション手段で送電ロスの低減が図れると判定されたシミュレーションがない場合や、電圧シミュレーション手段で母線電圧が目標設定電圧範囲内に収まると判定されたシミュレーションがない場合には、第２の電圧シミュレーション手段により、ループ系統の各発変電所の変圧器の一次側タップを同時に下げ又は上げの制御を行った場合の母線電圧がシミュレーションされ、母線電圧が目標設定電圧範囲内に収まる場合に、第２の制御手段により、ループ系統の各発変電所の変圧器の一次側タップをそのシミュレーションを行った設定状態となるように制御するので、送電ロスの低減を図りつつ母線電圧を目標設定電圧範囲内に収めることが難しい場合に、電圧を安定化させる制御を優先させることが可能となる。
【００１４】
また、第２の電圧シミュレーション手段によるシミュレーションの結果、母線電圧が目標設定電圧範囲内に収まらないと判定された場合には、調相設備や変圧器タップの制御で電圧を安定化させることが困難な場合であるので、オペレータに通知する通知手段を設け、オペレータによる制御に委ねるようにするとよい。
このような構成によれば、第２の電圧シミュレーション手段によるシミュレーションの結果、母線電圧が目標設定電圧範囲内に収まらない場合にオペレータに通知されるので、オペレータによって該当系統に接続されている発電所の発電機の励磁調整や別の発変電所の調相設備を制御することで電圧を目標設定電圧内に収まるようにすることが可能となる。
【発明の効果】
【００１５】
以上述べたように、本発明に係る電圧無効電力制御システムによれば、母線電圧が目標設定電圧範囲を超えた場合に、各発変電所の調相設備を別々に投入または開放した場合の無効電力量が演算されて、送電ロスの低減が図れるか否かがシミュレーションされ、また、各発変電所の調相設備を投入または開放した場合に母線電圧が目標設定電圧範囲に収まるか否かがシミュレーションされ、送電ロスの低減が図れると判定され、且つ、母線電圧が目標設定電圧範囲内に収まると判定された場合に、そのシミュレーションを行った設定状態となるよう調相設備が制御されるので、送電ロスの低減を図りつつ母線電圧を電圧運用範囲に調整することが可能となる。
【００１６】
また、上述の電圧無効電力制御システムにおいては、母線電圧が目標電圧範囲を超えた場合に、ループ系統の各発変電所の変圧器タップを別々に変更した場合の無効電力量を演算して、それに基づき送電ロスの低減の有無をシミュレーションすると共に、変圧器タップを変更した場合に母線電圧が目標設定電圧内に収まるか否かをシミュレーションし、そのシミュレーションの結果、送電ロスシミュレーション手段により送電ロスの低減が図れると判定され、且つ、母線電圧が目標設定電圧範囲内に収まると判定された場合に、シミュレーションを行った設定状態となるように変圧器タップを制御するようにしてもよく、このような制御によれば、変圧器タップの変更によって循環する無効電力により、タップ変更前に生じていたループ系統の無効電力を低減させ、母線電圧を電圧運用範囲に調整することが可能となる。
【００１７】
ここで、送電ロスの低減が図れるシミュレーションが複数ある場合には、送電ロスの低減効果が最も高いシミュレーションの設定状態となるよう制御手段による制御を行うことで、送電ロスの低減を効果的に行いつつ、電圧の安定化を図ることが可能となる。
【００１８】
尚、以上のシミュレーションにおいて、送電ロスの低減が図れない場合や、母線電圧が目標設定電圧範囲内に収まらない場合において、ループ系統の各発変電所の変圧器の一次側タップを同時に下げ又は上げの制御を行った場合に母線電圧が目標設定電圧範囲内に収まるか否かをシミュレーションし、その結果、母線電圧が目標設定電圧範囲内に収まるとの判定された場合に、ループ系統の各発変電所の変圧器の一次側タップを、そのシミュレーションを行った設定状態となるように制御することで、送電ロスの低減に優先して電圧の安定化を図ることが可能となる。
【００１９】
また、ループ系統の各発変電所の変圧器の一次タップを同時に下げ又は上げの制御を行った場合のシミュレーションの結果、母線電圧が目標設定電圧範囲内に収まらないと判定された場合には、オペレータに通知することで、オペレータによる電圧調整を優先させることが可能となる。
【図面の簡単な説明】
【００２０】
【図１】図１は、本発明に係る電圧無効電力制御システムが適用されるループ系統の構成例を示す図であり、（ａ）はループ系統図、（ｂ）はループ系統を構成する各変電所の設備仕様を説明する表である。
【図２】図２は、本発明に係る電圧無効電力制御システムの構成を説明するブロックダイヤグラムである。
【図３】図３は、電圧無効電力制御システムの演算・制御装置での制御処理例を示すフローチャートである。
【図４】図４は、Ｂ変電所のＳｈＲを１台投入した場合の２２０ｋＶ送電線廻りの無効電力と１１０ｋＶ送電線廻りの無効電力の変化を説明する図である。
【図５】図５は、Ａ変電所のＳｈＲを１台投入した場合のＡ変電所の連系変圧器下りの無効電力と１１０ｋＶ送電線廻りの無効電力の変化を説明する図である。
【図６】図６は、Ｑ２＝Ｑ１＋４の直線を中心に、Ａ変電所のＳｈＲ投入により送電ロスの低減が図れた場合とＢ変電所のＳｈＲ投入により送電ロスの低減が図れた場合の分布を示す図である。
【図７】図７は、連系変圧器の一次側タップを切り替えた場合の無効電力の変化を説明する図である。
【図８】図８は、Ｂ変電所でＳｈＲを１台投入する前後の無効電力の変化を説明する図である。
【発明を実施するための形態】
【００２１】
以下、本発明の電圧無効電力制御システムについて、添付図面を参照しながら説明する。なお、この実施形態においては、複数の変電所の変圧器（バンク）を介して電圧が異なる系統がループ構成された異電圧ループ系統（環状系統）について説明するが、これに限定されるものではない。
【００２２】
図１において、本発明に係る電圧無効電力制御システムに適用されるループ系統の構成例が示されており、Ａ変電所１とＢ変電所２との間は、２２０ｋＶのＢ連絡線３で接続され、また、１１０ｋＶのＡＢ線４で接続されている。さらに、Ａ変電所１とＣ変電所５との間は、１１０ｋＶのＡＣ線６で接続され、Ｃ変電所５とＢ変電所２の間は、１１０ｋＶのＣ線７で接続されている。尚、この例においては、１１０ｋＶ送電線のインピーダンスは、２２０ｋＶ送電線のインピーダンスに比べて非常に大きく設定されている。
【００２３】
このため、Ａ変電所１とＢ変電所２とは、異電圧であるが、ループ系統で接続されており、系統電圧の調整は、Ａ変電所１とＢ変電所２において、調相設備（ＳｈＲ，ＳＣ）を入り切り制御することにより、また、連系変圧器の一次側タップを切り換え制御することにより行われ、Ａ変電所、Ｂ変電所の１１０ｋＶ母線電圧を、ピーク時に１１２±１．０ｋＶとなるように調整し、また、オフピーク時に１０９±１．０ｋＶとなるように調整している。
【００２４】
ここで、Ａ変電所には、連系変圧器として、２２０／１１０ｋＶ、２００ＭＶＡの変圧器が２台、調相設備として、２０ＭＶＡのＳｈＲ（分路リアクトル）が１台、設置され、また、Ｂ変電所には、連系変圧器として、２２０／１１０ｋＶ,３００ＭＶＡの連系変圧器が２台、調相設備として、２０ＭＶＡのＳｈＲ（分路リアクトル）が４台、２０ＭＶＡのＳＣ（電力畜電器）が２台、３０ＭＶＡのＳＣ（電力畜電器）が１台、設置されている。
なお、Ａ変電所１とＢ変電所２の連系変圧器のタップは、無効電力の循環を防止するため、通常は同一タップで運用されている。
【００２５】
電圧無効電力制御システムは、図２に示されるような構成を有しているもので、Ａ変電所１及びＢ変電所２のそれぞれにおいて、母線電圧と無効電力とを計測する計測部Ａ１，Ｂ１と、調整設備の入り切り状態を把握すると共に変圧器のタップ値を把握する状態把握部Ａ２，Ｂ２とを備え、これら計測部Ａ１，Ｂ１で計測された母線電圧と無効電力との情報と、状態把握部Ａ２，Ｂ２で把握された調整設備の状態と変圧器タップ値の情報は、送信部Ａ３，Ｂ３を介して演算・制御装置１０へ送信されるようになっている。
【００２６】
演算・制御装置１０は、Ａ変電所１及びＢ変電所２から送られた情報を受信部１１で受信し、受信した情報に基づき、演算部１２で所定のプログラムにしたがって演算処理し、操作箇所選定部１３で母線電圧や無効電力を調整するために最も適した操作箇所（調相設備や変圧器のタップ）を選定し、その選定された操作箇所に対して、操作指令信号を送信部１４を介して送信するようにしている。
【００２７】
各変電所は、演算・制御装置１０の送信部１４から送信された操作指令信号を受信部Ａ４，Ｂ４で受信し、操作機器振分け部Ａ５，Ｂ５で操作すべき機器（調整設備、変圧器）に対して操作指令信号を振り分けて送信し、操作すべき機器が変圧器であれば、操作指令信号に基づき変圧器タップの上げ下げ制御が自動で行われ、また、操作すべき機器が調相設備であれば、操作指令信号に基づき調相設備の入り切り制御が自動で行われる。
【００２８】
以上の構成において、次に無効電力を調整する手法について、図３に示されるフローチャートに基づき説明する。
まず、演算・制御装置１０の演算部１２においては、各変電所の計測部Ａ１，Ｂ１で計測された母線電圧の情報が随時入力されて、予め設定された電圧目標値（目標設定電圧）を逸脱したか否かがモニタリングされ（ステップ５０）、目標設定電圧を逸脱したと判定された場合に、上記ループ系統における送電ロスのシミュレーションと電圧変化のシミュレーションとを行う（ステップ５２）。
【００２９】
ここで、送電ロスのシミュレーションは、それぞれの変電所（Ａ変電所、Ｂ変電所）において１台の調相設備を別々に「入」とした場合のシミュレーションと、それぞれの変電所（Ａ変電所、Ｂ変電所）において連系変圧器の一次側の変圧器タップの「下げ」を別々に実施した場合のシミュレーションとを含み、したがって、電圧のシミュレーションも、それぞれの送電ロスのシミュレーション毎に行われる（それぞれの変電所の調相設備を別々に「入」とした場合の電圧シミュレーションと、それぞれの変電所の変圧器タップを別々に「下げ」とした場合の電圧シミュレーションが行われる）ようになっている。
【００３０】
その後、ステップ５２のシミュレーションを完了した後に、全てのシミュレーションに対して、送電ロスの低減効果が高い順に順位付けする（ステップ５４）。
【００３１】
その後、送電ロスの低減を図ることができ、且つ、母線電圧が目標設定電圧範囲内となるシミュレーションがあるかどうかを判定し（ステップ５６）、送電ロスの低減を図ることができ、且つ、母線電圧が目標設定電圧範囲内となるシミュレーションがあると判定された場合には、ステップ５４の優先順位に基づき、最も優先順位が高い（最も送電ロスの低減効果が高い）設定状態となるよう、該当の調相設備又は変圧器タップの制御を行う（ステップ５８）。
【００３２】
これに対して、送電ロスの低減が図れるシミュレーションがない場合や、送電ロスの低減が図れる場合であっても、電圧が目標設定電圧範囲内に収めることができるシミュレーションがないと判定された場合には、ステップ６０へ進み、両変電所の変圧器タップを同時に下げた場合の電圧変化のシミュレーションを開始し、その上で、母線電圧が目標設定電圧範囲内に収まるか否かを判定する（ステップ６２）。
【００３３】
その結果、母線電圧が目標設定電圧範囲内に収まると判定された場合には、送電ロスの低減の有無は考慮せずに両変電所の変圧器のタップを下げる制御を行い（ステップ６４）、その後、母線電圧をモニタリングするステップ５０へ戻る。これに対して、ステップ６２において、母線電圧が目標設定電圧範囲内に収まらないと判定された場合には、オペレータに通知し（ステップ６６）、その後、母線電圧をモニタリングするステップ５０へ戻る。そして、母線電圧が目標電圧を依然として逸脱していることが判定された場合には、上述した処理を繰り返す。
【００３４】
尚、オペレータは、ステップ６６の通知を受けた場合に、該当系統に接続されている発電所の発電機の励磁調整や別の発変電所の調相設備を制御することで電圧を目標設定電圧内に収まるように調節する。
また、ステップ５８の調相設備や変圧器タップの制御、ステップ６４の両変電所の変圧器タップの制御は、制御後の状態が状態把握部Ａ２，Ｂ２で把握され、演算・制御装置１０の演算部１２へ送られるので、演算部１２で演算された指令値と実際に制御した状態とが一致しているかどうかを確認することが可能となり、制御状態を監視できるようになっている。
【００３５】
したがって、上述の制御によれば、ループ系統内の変電所の調相設備や変圧器タップを別々に制御した場合の送電ロスのシミュレーションが実行された上で、送電ロスが軽減されると判定され、且つ、電圧が目標電圧設定範囲内に収まると判定されたシミュレーションがある場合に、最も送電ロスの低減効果が高いシミュレーションの設定状態となるよう調相設備の入り切り制御、又は、変圧器タップの上げ下げ制御が行われるので、送電ロスの低減を図りつつ系統電圧を目標設定電圧内に制御することが可能となる。
【実施例１】
【００３６】
次に、上述の構成において、送電ロスを低減しつつ電圧を目標設定電圧内に調整する具体的手法について説明する。
【００３７】
電圧が目標設定電圧から外れた場合には、従来においては、電圧エラーが発生した変電所で調相設備を投入することで電圧を調整しているが、例えば、Ｂ変電所の調相設備のうち、ＳｈＲを投入した場合には、無効電力がＡ変電所からＢ変電所へ流れる。
【００３８】
このため、調相設備の入り切り制御や連系変圧器のタップの切り変え制御により、無効電力による送電ロスを調整し、ループ系統全体として、この無効電力による送電ロスを零にし、又は、できるだけ零に近づけるように電圧を目標設定電圧内に収めるようにすることが好ましい。
即ち、理想的には、
ＰＬ＝Σ（％ｒｎ × Ｑｎ＾２）＝０  ・・・（１）
とすることが望ましい。
ここで、ＰＬ：無効電力の有効ロス
％ｒｎ：送電線の各々の％オーム
Ｑｎ：送電線の各々の無効電力
【００３９】
そこで、調相設備を投入することで無効電力がどのように変化するかをシミュレーションすると、先ず、Ａ変電所とＢ変電所の調相設備を別々に投入した場合の無効電力の変化がどの程度あるのかを知るために、系統図表から送電線のインピーダンスを調べ、無効電力の変化量を推定する（Ａ変電所２２０ｋＶ母線基準）。
【００４０】
Ｂ変電所のＳｈＲを１台投入した場合において、各送電線廻りの％インピーダンスと系統全体の％インピーダンスとの比が、例えば、
１１０ｋＶ送電線廻りのΣ％Ｚ／系統全体のΣ％Ｚ≒０．７
２２０ｋＶ送電線廻りのΣ％Ｚ／系統全体のΣ％Ｚ≒０．３
であるとすると、２２０ｋＶ送電線廻りの無効電力の変化量と１１０ｋＶ送電線廻りの無効電力の変化量の比は、図４に示されるように、７：３（逆比）と推定される。
【００４１】
また、Ａ変電所の調相設備（ＳｈＲ）を１台投入した場合において、各送電線廻りの％インピーダンスと系統全体の％インピーダンスとの比が、例えば、
１１０ｋＶ送電線廻りのΣ％Ｚ／系統全体のΣ％Ｚ≒０．５
Ａ変電所変圧器の％Ｚ／系統全体のΣ％Ｚ≒０．５
であるとすると、Ａ変電所変圧器下りの無効電力の変化量と１１０ｋＶ送電線廻りの無効電力の変化量の比は、図５に示されるように、５：５と推定される。
【００４２】
尚、ここで、送電ロスを軽減したい送電線路は、１１０ｋＶ送電線の線路インピーダンスが、２２０ｋＶ送電線のインピーダンスと比べて非常に大きい場合を想定しているので、１１０ｋＶ送電線路の送電ロスを低減することを考えるものとする。
【００４３】
そこで、Ｂ変電所側の無効電力をＡＢ線とＣ線のそれぞれの無効電力の合計とし、また、Ａ変電所側の無効電力をＡＢ線とＡＣ線とのそれぞれの無効電力の合計とし、調相設備の投入により送電ロスを低減させる条件、即ち、前記（１）式で示す無効電力による送電ロスを零にする条件［（Ａ変電所ＳｈＲ投入時の送電ロス）−（Ｂ変電所ＳｈＲ投入時の送電ロス）＝０］から、Ａ変電所の調相設備（ＳｈＲ）投入時の送電ロスとＢ変電所の調相設備（ＳｈＲ）投入時の送電ロスとが同じになる条件（Ａ変電所ＳｈＲ投入時の送電ロス＝Ｂ変電所ＳｈＲ投入時の送電ロス）を探す。このＡ変電所の調相設備（ＳｈＲ）投入時の送電ロスとＢ変電所の調相設備（ＳｈＲ）投入時の送電ロスとが同じになる条件は、調相設備の調整によって、これ以上の調整が図れない限界条件を見出すことを意味する。
【００４４】
このため、Ｑ１：Ａ変電所側の無効電力
Ｑ２：Ｂ変電所側の無効電力
Ｑｓ：ＳｈＲ投入による無効電力（＝２０ＭＶＡ）
とすると、
（Ａ変電所ＳｈＲ投入時の送電ロス）＝（Ｂ変電所ＳｈＲ投入時の送電ロス）は、
（Q1+0.5Qs)^2・%R ＋（Q2−0.5Qs)^2・%R
＝（Q1−0.3Qs)^2 ・%R ＋（Q2+0.3Qs)^2・%R
より、
Ｑ２＝Ｑ１＋０．２Ｑｓ
＝Ｑ１＋０．２×２０
＝Ｑ１＋４
となる。
ここで、無効電力は、変電所の１１０ｋＶ母線から送電線に流れる向きを「マイナス」符号、送電線から変電所の１１０ｋＶ母線に流れる向きを「プラス」符号としている。
【００４５】
実際、この関係式（特性式）を、過去の給電記録から、送電ロスを軽減できるポイントをプロットした図表に書き加えると、図６に示されるようになる。
尚、図６における送電ロスの軽減ができるポイントの抽出は、以下の要領で行われた。
（ａ）給電記録から，ShR投入分の無効電力を差し引く
（ｂ）その状態の無効電力による送電ロス分を算出
（ｃ）Ｂ変電所のＳｈＲを投入した場合の無効電力による送電ロスを算出
Ａ変電所のＳｈＲを投入した場合の無効電力による送電ロスを算出
（ｄ）（ｂ）と（ｃ）を比較し，ShR投入により送電ロスの軽減ができれば、プロットする。
【００４６】
この図から明らかなように、Ｑ２＝Ｑ１＋４の直線を中心に、Ｂ変電所のＳｈＲ投入（□）とＡ変電所のＳｈＲ投入（△）により送電ロスを軽減できたポイントが分布していることから、この特性線上に沿うように（近付けるように）調相設備を制御すれば、即ち、上記特性式に基づいて、右辺と左辺との差の絶対値（｜Q2-Q1-4|）をできるだけ小さくすることができれば（好ましくは、零にすることができれば）、無効電力による送電ロスを小さくすることができることになる。換言すれば、この絶対値が小さくなるほど、送電ロスの低減効果が大きくなることを示す。
【００４７】
尚、調相設備を投入することによる電圧変化は、次の通りである。
Ｂ変電所で調相設備（SｈR)を投入した場合の電圧変化は、以下のようになる。  [X1=0.253%Z÷100=0.00253PU，X2=0.5558％Z÷100=0.005558PU]
△V＝X1・X2÷（X1+X2)・△ｑ＝0.00253×0.005558÷（0.00253＋0.005558）×2.0 ＝0.00001406÷0.008088×2.0＝0.00347PU［投入箇所］
この場合のＢ変電所110kV母線電圧変化は、
△V110＝0.00347−0.00347×（-0.025÷0.5558)＝0.00347+0.00015＝0.00362PU（0.39kV）であり、
Ａ変電所110kV母線電圧変化は、
△V110＝0.00347−0.00347×（0.404÷0.5558)＝0.00347−0.00252＝0.00095PU（0.10kV)である。
【００４８】
また、Ａ変電所で調相設備（SｈR）を投入した場合の電圧変化は、以下のようになる。
△V= X1・X2÷（X1+X2)・△ｑ＝0.00413×0.003958÷（0.00413+0.003958)×2.0
=0.00001634÷0.008088×2.0=0.004PU[投入箇所]
この場合のＡ変電所110kV母線電圧変化は、
△V110＝0.004−0.004×（-0.035÷0.413)＝0.4+0.084=0.00484PU（0.44kV）であり、
Ｂ変電所110kV母線電圧変化は、
△V110＝0.004−0.004×（0.1708÷0.3958)＝0.004−0.0017=0.0023PU（0.21kV)
である。
【００４９】
以上は、連系変圧器のタップを同一にして運用し、調相設備だけで送電ロスの低減を図る場合であるが、連系変圧器の一次側タップを変えてループ系統に無効電力を循環させ、これにより、タップ変更前の無効電力を低減することも可能となる。
【００５０】
連系変圧器の１次側、２次側に電源がある場合、変圧器の一次側タップを下げると（２次側電圧を下げると）、変圧器の２次側から１次側に無効電力が流れ、一次側タップを上げると（２次側電圧を上げると）、変圧器の１次側から２次側に無効電力が流れる。
したがって、Ａ変電所の連系変圧器のタップを下げると、図７に示されるように、１１０ｋＶの送電線において、Ｂ変電所からＡ変電所へ向けて無効電力が流れ、タップ変更前においてＡ変電所からＢ変電所に流れていた無効電力を少なくすることが可能となる。
【００５１】
そこで、タップを変えた場合の無効電力の循環量を試算するにあたり、１タップを変えた場合の無効電力変化量△Ｑを求めると、次式となる。
△Ｑ＝△Ｎ／Ｚ
ここで、△Ｎは１タップ当りの電圧変化巾［ＰＵ］、Ｚはループ系統のインピーダンスである。また、タップは、１〜１３番まであり、１番が２３５ｋＶ，１３番が１９９ｋＶに設定されている。
△Ｎ＝３６ｋV÷{220kV×（13−１）}＝0.0135［PU］（１２タップ）
Ｚ＝Σ％Ｚ÷100＝０．８０８８÷１００［PU］
したがって、△Ｑ＝△Ｎ÷Ｚ＝0.0135÷（0.8088÷１００）≒1.67［PU］ （∴ １６．7ＭＶａｒ）
【００５２】
したがって、タップを変えることにより、１６．７ＭＶａｒの無効電力が循環するので、１６ＭＶａｒ程度の無効電力が１１０ｋＶ送電線廻り（ＡＢ線、ＡＣ線、Ｃ線）に流れていれば、タップを切り替えることで調整前の無効電力を相殺することが可能となり、送電ロスを効果的に軽減することが可能となる。
即ち、最もいい結果が得られる場合は、１１０ｋＶ送電線に、Ａ変電所からＢ変電所に向けて１６．７Ｍｖａｒの無効電力が流れている状態において、Ａ変電所で変圧器タップを「下げ」とする場合であり、この場合の送電ロスは、
（調整前に生じている送電ロス）＝（変圧器タップを１段変更した場合の送電ロス）
の関係式から、
（Q1+16.7)^2・%R ＋（Q2−16.7)^2・%R
＝（Q1−16.7)^2 ・%R ＋（Q2+16.7)^2・%R
Q2＝Q1
で表される。したがって、この関係から、右辺と左辺との差の絶対値（｜Q2-Q1|）をできるだけ小さくすることができれば（好ましくは、零にすることができれば）、無効電力による送電ロスを小さくすることができ、この絶対値が小さくなるほど、送電ロスの低減効果が大きくなる。
【００５３】
尚、タップを変化させたことによる電圧変化は、
Ｂ変電所でタップを１段階変化させた場合に、
Ｂ変電所の１１０ｋＶ母線電圧変化は、
△V110＝△ｎ×X2÷（X1＋X2)＝0.0135PU×0.5813÷0.8088
＝0.0097PU（1.06kV)、
であり、Ａ変電所の１１０ｋＶ母線電圧の変化は、
△V110＝△ｎ×X2÷（X1＋X2)＝0.0135PU×0.404÷0.8088
＝0.0067PU（0.74kV)
となる。また、Ａ変電所でタップを１段階変化させた場合に、
Ａ変電所の１１０ｋＶ母線電圧の変化は、
△V110＝△ｎ×X2÷（X1＋X2)＝0.0135PU×0.5813÷0.8088
＝0.0097PU（1.06kV)
であり、Ｂ変電所の１１０ｋＶ母線電圧変化は、
△V110＝△ｎ×X2÷（X1＋X2)＝0.0135PU×0.404÷0.8088
0.0067PU（0.74kV)
となる。
【００５４】
以上を踏まえて、今、計測部Ｂ１で計測されたＢ変電所側の無効電力（Ｑ２）及びその方向が＋５ＭＶａｒ（送電線からＢ変電所の１１０ｋＶ母線に５ＭＶarの無効電力が流れている）であり、計測部Ａ１で計測されたＡ変電所側の無効電力（Ｑ１）及びその方向が＋１０ＭＶａｒ（送電線からＡ変電所の１１０ｋＶ母線に１０ＭＶａｒの無効電力が流れている）である場合、調相設備による調整の場合と、変圧器タップによる調整の場合をシミュレーションすると、以下のようになる。
【００５５】
[調相設備による調整の場合]
調相設備による調整前は、Ｑ２＝Ｑ１＋４を基準にして、両辺の差の絶対値を見ると、
｜α｜＝｜Ｑ２−（Ｑ１＋４）｜
＝｜５―（１０＋４）｜
＝９
である。この状態から、Ａ変電所のＳｈＲ（２０ＭＶＡ）を１台投入した場合において、Ａ変電所側の無効電力を演算すると、Ｑ１＝１０＋２０×０．５＝２０となり、Ｂ変電所側の無効電力を演算すると、Ｑ２＝５−２０×０．５＝−５となり、したがって、｜α｜は、
｜α｜＝｜−５−（２０＋４）｜
＝｜−５−２４｜＝２９
となる。よって、Ａ変電所でＳｈＲを投入すると、特性式の右辺と左辺との差の絶対値は、９→２９に大きく変化し、送電ロスが低減できないことを予測できる。
【００５６】
これに対して、Ｂ変電所のＳｈＲ（２０ＭＶＡ）を１台投入した場合において、Ａ変電所側の無効電力を演算すると、Ｑ１＝１０−２０×０．３＝４となり、Ｂ変電所側の無効電力を演算すると、Ｑ２＝５＋２０×０．３＝１１となり、従って、｜α｜は、
｜α｜＝｜１１−（４＋４）｜
＝｜１１−８｜＝３
となる。よって、Ｂ変電所でＳｈＲを投入すると、９→３に小さく変化し、送電ロスが低減できることを予測できる（図８参照）。
【００５７】
[変圧器タップによる調整の場合]
次に、変圧器タップによる調整前は、Ｑ２＝Ｑ１を基準にして、両辺の差の絶対値を見ると、
｜α｜＝｜Ｑ２−Ｑ１｜
＝｜５―１０｜
＝５
である。この状態から、Ａ変電所の変圧器タップを１段下げた場合、Ａ変電所側の無効電力はＱ１＝１０＋１６．７＝２６．７となり、Ｂ変電所側の無効電力は、Ｑ２＝５−１６．７＝−１１．７となり、したがって、｜α｜は、
｜α｜＝｜−１１．７―２６．７｜
＝３８．４
となる。よって、Ａ変電所の変圧器タップを下げると、特性式の右辺と左辺との差の絶対値は、５→３８．４に大きく変化し、送電ロスが低減できないことを予測できる。
【００５８】
また、Ｂ変電所の変圧器タップを１段下げた場合を想定すると、Ａ変電所側の無効電力はＱ１＝１０−１６．７＝−６．７となり、Ｂ変電所側の無効電力は、Ｑ２＝５＋１６．７＝２１．７となり、したがって、｜α｜は、
｜α｜＝｜２１．７−（−６．７）｜
＝２８．４
となる。よって、Ｂ変電所の変圧器タップを下げると、特性式の右辺と左辺との差の絶対値は、５→２８．４に大きく変化し、送電ロスが低減できないことを予測できる。
【００５９】
したがって、以上のシミュレーションをステップ５２で行った後に、ステップ５４において、優先順位を付けると、
（１）Ｂ変電所の調相設備による調整（９→３  となり６の減）
（２）Ａ変電所の調整設備による調整（９→２９  となり２０の増）
（３）Ｂ変電所の変圧器タップ下げ（５→２８．４  となり２３．４  の増）
（４）Ａ変電所の変圧器タップ下げ（５→３８．４  となり３３．４の増）
となり、（１）のみが送電ロスを低減できることになる。
そして、ステップ５２で行った電圧シミュレーションの結果、ステップ５６において母線電圧が目標設定電圧範囲内に収まると判定されれば、この（１）の制御がステップ５８において実行され、電圧範囲内に収まらなければ、他に送電ロスを低減できるシミュレーションがないので、ステップ６０へ移行し、両変電所の変圧器タップを下げた場合のシミュレーションが行われる。
【００６０】
また、仮に、Ａ変電所からＢ変電所に向けて、１６．７ＭＶａｒの無効電力が流れていたとすると、計測部Ａ１で計測される無効電力及びその方向は、Ｑ１＝−１６．７（Ａ変電所の１１０ｋＶ母線から送電線に向けて１６．７ＭＶａｒの無効電力が流れる）であり、計測部Ｂ１で計測される無効電力及びその方向は、Ｑ２＝＋１６．７（送電線からＢ変電所の１１０ｋＶ母線に向けて１６．７ＭＶａｒの無効電力が流れる）であり、調相設備による調整と変圧器タップによる調整のシミュレーションは以下のようになる。
【００６１】
[調相設備による調整の場合]
調相設備による調整前は、Ｑ２＝Ｑ１＋４を基準にして、両辺の差の絶対値を見ると、
｜α｜＝｜Ｑ２−（Ｑ１＋４）｜
＝｜１６．７−（−１６．７＋４）｜
＝２９．４
である。この状態から、Ａ変電所のＳｈＲ（２０ＭＶＡ）を１台投入した場合、Ａ変電所側の無効電力を演算すると、Ｑ１＝−１６．７＋２０×０．５＝−６．７となり、Ｂ変電所側の無効電力を演算すると、Ｑ２＝１６．７−２０×０．５＝６．７となり、したがって、｜α｜は、
｜α｜＝｜６．７−（−６．７＋４）｜
＝９．４
となる。よって、Ａ変電所でＳｈＲを投入すると、特性式の右辺と左辺との差の絶対値は、２９．４→９．４と小さく変化し、送電ロスを低減できることを予測できる。
【００６２】
これに対して、Ｂ変電所のＳｈＲ（２０ＭＶＡ）を１台投入した場合を想定すると、Ａ変電所側の無効電力を演算すると、Ｑ１＝−１６．７−２０×０．３＝−２２．７となり、Ｂ変電所側の無効電力を演算すると、 Ｑ２＝１６．７＋２０×０．３＝２２．７となり、｜α｜は、
｜α｜＝｜２２．７−（−２２．７＋４）｜
＝４１．４
となる。よって、Ｂ変電所のＳｈＲを投入すると、２９．４→４１．４に大きく変化し、送電ロスが低減できないことを予測できる。
【００６３】
[変圧器タップによる調整の場合]
次に、変圧器タップによる調整前は、Ｑ２＝Ｑ１を基準にして、両辺の差の絶対値を見ると、
｜α｜＝｜Ｑ２−Ｑ１｜
＝｜１６．７−（−１６．７）｜
＝３３．４
である。この状態から、Ａ変電所の変圧器タップを１段下げた場合、Ａ変電所側の無効電力はＱ１＝−１６．７＋１６．７＝０となり、Ｂ変電所側の無効電力は、Ｑ２＝１６．７−１６．７＝０となり、したがって、｜α｜は、
｜α｜＝｜０−０｜＝０
となる。よって、Ａ変電所の変圧器タップを下げると、特性式の右辺と左辺との差の絶対値は、３３．４→０に小さく変化し、送電ロスが低減できることを予測できる。
【００６４】
また、Ｂ変電所の変圧器タップを１段下げた場合を想定すると、Ａ変電所側の無効電力はＱ１＝−１６．７−１６．７＝−３３．４となり、Ｂ変電所側の無効電力は、Ｑ２＝１６．７＋１６．７＝３３．４となり、したがって、｜α｜は、
｜α｜＝｜３３．４−（−３３．４）｜
＝６６．８
となる。よって、Ｂ変電所の変圧器タップを下げると、特性式の右辺と左辺との差の絶対値は、３３．４→６６．８に大きく変化し、送電ロスが低減できないことを予測できる。
【００６５】
したがって、以上のシミュレーションをステップ５２で行った後に、ステップ５４において、優先順位を付けると、
（１）Ａ変電所の変圧器タップ下げ（３３．４→０となり３３．４の減）
（２）Ａ変電所の調整設備による調整（２９．４→９．４  となり２０．０  の減）
（３）Ｂ変電所の調相設備による調整（２９．４→４１．４  となり１２．０の増）
（４）Ｂ変電所の変圧器タップ下げ（３３．４→６６．８となり３３．４の増）
となり、（１）及び（２）が送電ロスを低減できることになり、このうち、送電ロスの低減効果が最も大きいのは、（１）のＡ変電所の変圧器タップ下げを行った場合であるので、ステップ５２で行った電圧シミュレーションの結果、ステップ５６において母線電圧が目標設定電圧範囲内に収まると判定されれば、この（１）の制御がステップ５８において実行され、目標設定電圧範囲内に収まらないと判定された場合には、次に送電ロスの低減効果が高い（２）の制御が選択され、母線電圧が目標設定電圧範囲内に収まる場合であれば、この（２）の制御がステップ５８において実行される。尚、（２）の制御においても母線電圧が目標設定電圧範囲内に収まらないと判定された場合には、他に送電ロスを低減できるシミュレーションがないので、ステップ６０へ移行し、両変電所の変圧器タップを下げた場合のシミュレーションが行われる。
【００６６】
したがって、以上の制御によれば、母線電圧が目標設定電圧を逸脱した場合には、先ず、それぞれの変電所の調相設備を別々に入／切制御した場合と変圧器タップを別々に変化させた場合のシミュレーションが実行され、また、それぞれの場合の母線電圧の電圧変化がシミュレーションされ、これらのシミュレーションの結果、送電ロスを低減でき、且つ、電圧が目標設定電圧内に収まるシミュレーションがあれば、その中で最も送電ロスの低減効果が高いシミュレーションの設定状態となるように調相設備または変圧器タップが制御され、送電ロスの低減を図れるシミュレーションが無い場合や、送電ロスの低減を図れるが、母線電圧が目標設定電圧内に収まるシミュレーションが無い場合には、両変圧器のタップを同時に変更した場合の電圧変化シミュレーションが行われ、母線電圧が目標電圧の範囲内に収めることが可能と判定された場合には、両変電所の変圧器タップを変更する制御を行い、母線電圧が目標電圧の範囲内に収まらないと判定された場合には、調相設備や変圧器タップの制御では対応できない場合であるので、オペレータへ通知される。
【００６７】
したがって、上述の制御を行うことによって、
（i）電圧運用幅内で電圧調整により送電ロスの低減が図れる、
（ii）送電ロスの低減により発電機出力の低減が図れ，燃料費が低減できる、
（iii）送電ロスの低減により，CO2排出の低減が図れる、
（iv）調相設備（コンデンサ，リアクトル）の適正な投入タイミングにより機器自体の電力損失が低減できる、
等の効果を得ることが可能となる。
【００６８】
尚、上述の実施例では、異電圧ループ系統（環状系統）について説明したが、上述した構成を同一電圧階級のループ系統（環状系統）に適用するようにしてもよい。同一電圧階級のループ系統（環状系統）に適用する場合には、変圧器が存在しないので、上述した調相設備のみによって送電ロスの低減を図りつつ母線電圧を目標設定電圧に維持する制御を行い、母線電圧を目法設定電圧範囲内に収めることができない場合や送電ロスを低減できない場合には、オペレータに通知するようにするとよい。
【符号の説明】
【００６９】
１  Ａ変電所
２  Ｂ変電所
３  Ｂ連絡線
４  ＡＢ線
５  Ｃ変電所
６  ＡＣ線
７  Ｃ線
【図１】
0005318156.tif 000002
【図２】
0005318156.tif 000003
【図３】
0005318156.tif 000004
【図４】
0005318156.tif 000005
【図５】
0005318156.tif 000006
【図６】
0005318156.tif 000007
【図７】
0005318156.tif 000008
【図８】
0005318156.tif 000009